(57)【特許請求の範囲】
【請求項１】
各々独立して動作する第１の制御手段と第２の制御手段を具備し、初期化時に前記第１の制御手段から転送されるデータに基づいて前記第２の制御手段が動作するとともに、前記第１の制御手段および前記第２の制御手段への給電を停止する節電モードを有する電子機器において、
電源が投入された際の初期化時に、前記データの少なくとも一部を不揮発記憶する記憶手段と、
前記第１の制御手段および前記第２の制御手段に給電が開始された際に、該給電が電源投入により行われたものか前記節電モードからの復帰かを判定する判定手段と、
前記判定手段により節電モードからの復帰と判定された場合に、前記記憶手段に記憶されているデータを前記第１の制御手段から転送されるデータに代えて前記第２の制御手段に転送する転送手段と
を具備することを特徴とする電子機器。
【請求項２】
前記第２の制御手段は、前記転送手段により前記記憶手段に記憶されているデータの転送を受けた後に、前記第１の制御手段の状態にかかわらず動作を開始することを特徴とする請求項１記載の電子機器。
【請求項３】
前記第２の制御手段は、回線を介して行う通信を制御する通信制御手段であることを特徴とする請求項１記載の電子機器。
【請求項４】
各々独立して動作する第１の制御手段と第２の制御手段を具備し、初期化時に前記第１の制御手段から転送されるデータに基づいて前記第２の制御手段が動作するとともに、前記第１の制御手段および前記第２の制御手段への給電を停止する節電モードを有する電子機器の制御方法において、
電源が投入された際の初期化時に、前記データの少なくとも一部を不揮発性の記憶手段に記憶し、前記第１の制御手段および前記第２の制御手段に給電が開始された際に、該給電が電源投入により行われたものか前記節電モードからの復帰かを判定し、前記節電モードからの復帰と判定した場合は、前記記憶手段に記憶したデータを前記第１の制御手段から転送されるデータに代えて前記第２の制御手段に転送することを特徴とする電子機器の制御方法。
【請求項５】
前記記憶手段に記憶しているデータを前記第２の制御手段に転送した後に、前記第１の制御手段の状態にかかわらず前記第２の制御手段の動作を開始させることを特徴とする請求項４記載の電子機器の制御方法。
【請求項６】
前記第２の制御手段は、回線を介して行う通信を制御する通信制御手段であることを特徴とする請求項４記載の電子機器の制御方法。
【発明の詳細な説明】
【０００１】
【発明の属する技術分野】
この発明は、電子機器およびその制御方法に関し、特に、待機中に最小限の給電のみを行う節電モードを有する電子機器およびその制御方法に関する。
【０００２】
【従来の技術】
近年、電子機器においては、省電力化の傾向が進み、復帰のために必要な最小限の部分にのみ給電を行う節電モードを有するものが増加してきている。例えば、ファクシミリ装置では、ユーザによる操作が一定時間無かった場合等に、節電モードに移行して不要な給電を停止するようにしている。
【０００３】
図６は、従来のファクシミリ装置の構成例を示した図である。同図に示すように、ファクシミリ装置は、システム制御部５０１と、通信制御部５０２、通信制御部５０３、スキャナ部５０４、プリンタ部５０５、ＵＩ部５０６を具備して構成される。
【０００４】
システム制御部５０１は、他の各部を統括して制御する部分で、ＣＰＵ(Central Processing Unit)５１１、ＡＳＩＣ(Application Specific Integrated Circuit)５１２、ＲＯＭ(Read Only Memory)５１３、ＲＡＭ(Random Access Memory)５１４、ＤＰ−ＲＡＭ(Dual Port-RAM)５１５を具備している。ＣＰＵ５１１は、システム制御部５０１はもちろんのこと、ファクシミリ装置全体の制御を行い、ＲＯＭ５１３に記憶されているプログラムにに基づいて動作する。ＡＳＩＣ５１２には、アドレスデコードやタイマ等の周辺回路が構成されている。ＲＯＭ５１３は、ＣＰＵ５１１を動作させるためのプログラム等が記憶されている。ＲＡＭ５１４は、カウンタやフラグ等のＣＰＵ５１１が動作する際に必要なデータや送受信する画像データを一時的に記憶する。ＤＰ−ＲＡＭ５１５、５１６は、それぞれ通信制御部５０２、５０３との間でデータ等の授受を行う。
【０００５】
通信制御部５０２は、回線を介して行われる通信を制御する部分で、ＣＰＵ５２１、ＡＳＩＣ５２２、ＲＯＭ５２３、ＲＡＭ５２４、ＣＯＤＥＣ(Compresser Decompresser)５２５、ＭＯＤＥＭ(Modulater Demodulater)５２６、ＮＣＵ(Network Control Unit)５２７を具備している。ＣＰＵ５２１は、通信制御部５０２の制御を行い、ＲＯＭ５２３に記憶されているプログラムにに基づいて動作する。ＡＳＩＣ５２２には、通信に要する周辺回路が構成されている。ＲＯＭ５２３は、ＣＰＵ５２１を動作させるためのプログラム等が記憶されている。ＲＡＭ５２４は、契約回線や着信信号に対する個別設定等の通信に必要なパラメータが一時的に記憶される。ＣＯＤＥＣ５２５は、送受信する画像データの圧縮、伸張を行う。ＭＯＤＥＭ５２６は、画像データの等の通信するデータの変調、復調を行う。ＮＣＵ５２７は、ダイヤル信号の送出や着信の検出等を行う。
【０００６】
通信制御部５０３は、回線を介して行われる通信を制御する部分であるが、ファクシミリ装置に複数回線の回線を接続する際に増設されるオプション部分であり、通信制御部５０２と同様に、ＣＰＵ５３１、ＡＳＩＣ５３２、ＲＯＭ５３３、ＲＡＭ５３４、ＣＯＤＥＣ５３５、ＭＯＤＥＭ５３６、ＮＣＵ５３７を具備している。
【０００７】
スキャナ部５０４は、原稿を読み取って画像データを生成し、プリンタ部５０５は、画像データに基づいて用紙上に画像を形成する。ＵＩ部５０６は、ＵＩ（ユーザインタフェイス）を提供するもので、キー入力部やディスプレイおよびこれらの制御部で構成される。
【０００８】
さて、このような構成のファクシミリ装置では、通常動作を行う通常モードから節電モードに移行した際には、必要最小限の部分を除いて給電を停止する。必要最小限の部分とは、節電モードから通常モードへ復帰するトリガを得るもので、例えば、ＮＣＵ５２７、５３７、ＵＩ部５０６のキー入力部、これらからの信号を検知する起動検知部（不図示）等である。ＮＣＵ５２７、５３７は、回線からの着信を検知し、ＵＩ部５０６のキー入力部は、ユーザによる操作を検知する。
【０００９】
ここで、図６に示したファクシミリ装置が節電モードから通常モードへ復帰する際の処理について説明する。なお、図６に示したファクシミリ装置では、電源投入時と、節電モードから通常モードへの復帰時の両者の処理は同様のものである。図７は、ファクシミリ装置の給電開始時の動作の流れを示すフローチャートである。
【００１０】
ファクシミリ装置は、給電が開始されると、システム制御部５０１、通信制御部５０２、通信制御部５０３、スキャナ部５０４、プリンタ部５０５、ＵＩ部５０６等の各部が初期化処理を開始するとともに（ステップ６０１）、全部分での初期化が終了するのを待ち（ステップ６０２でＮＯ）、システム制御部５０１が全部分での初期化が終了したのを確認すると（ステップ６０２でＹＥＳ）、立ち上げ完了として通常モードに入る。
【００１１】
ここで、ステップ６０１における各部の初期化処理のうち、システム制御部５０１と通信制御部５０２の初期化処理を例として説明する。図８は、システム制御部５０１と通信制御部５０２の初期化処理の流れを示すフローチャートである。
【００１２】
システム制御部５０１と通信制御部５０２に給電が開始されると、まず、システム制御部５０１が初期化処理を開始し（ステップ７０１）、通信制御部５０２に対してリセット信号を送出するとともに（ステップ７０２）、自身の内部チェックを行う（ステップ７０３）。
【００１３】
一方、通信制御部５０２は、給電開始後にシステム制御部５０１からのリセット信号を受信すると、初期化処理を開始し（ステップ７５１）、自身の内部チェックを行う（ステップ７５２）。そして、内部チェックが終了すると、内部チェック確認信号をシステム制御部５０１に送信する（ステップ７５３）。
【００１４】
システム制御部５０１は、内部チェック確認信号を受信すると（ステップ７０４）、初期応答信号を通信制御部５０２に送信し（ステップ７０５）、これを受信した通信制御部５０２は（ステップ７５４）、初期応答確認信号をシステム制御部５０１に送信する（ステップ７５５）。
【００１５】
システム制御部５０１は、初期応答確認信号を受信すると（ステップ７０６）、通信制御部５０２にシステムデータを送信する（ステップ７０７）。システムデータは、通信制御部５０２が通信を行うのに必要なパラメータ等のデータで、例えば、契約回線の種別（発信者番号通知回線か否か）、着信信号の個別設定、着信を拒否する電話番号（迷惑ＤＭ防止用等に利用）等である。なお、このシステムデータは、図示しない記憶部（ハードディスクやＥＥＰＲＯＭ等の不揮発性のもの）に設定されているシステムデータ、ユーザ設定等の一部である。
【００１６】
通信制御部５０２は、システムデータを受信すると（ステップ７５６）、受信したシステムデータをＲＡＭ５２４に記憶し、データ書込確認信号をシステム制御部５０１に送信して（ステップ７５７）、通常モードに移行する。
【００１７】
また、システム制御部５０１は、通信制御部５０２からデータ書込確認信号を受信すると（ステップ７０８）、通常モードに移行する。ただし、システム制御部５０１は、実際には、通信制御部５０２以外の各部の全てと同様の処理を行うため、それらが全て終了した後に、通常モードに移行することになる。
【００１８】
このように、従来のファクシミリ装置では、節電モードから通常モードに移行する際に、電源が切断されている状態から電源を投入して利用可能になるまでの場合と同程度の時間（数秒から数十秒程度）を要することもあり、ユーザが不便を感じることがあった。
【００１９】
また、単に不便を感じるのみでなく、着信時に送信側の待ち時間が増大したり、場合によっては、着信やサービスの提供を受けることが不可能となることもあった。例えば、アナログ回線において発信者番号通知を受けようとする場合、その仕様から一定時間内に応答を行わなければならないため、通常モードへの移行に多大な時間を要すると、発信者番号通知を受けることができなくなる。
【００２０】
ここで、発信者番号通知を受ける際の処理について説明する。図９は、発信者番号通知を受ける場合のシーケンスを示した図である。
【００２１】
同図に示すように、発ＩＤの通知の際には、加入者線交換機の動作により回線の極性が反転され（ステップ８０１）、次いで、加入者線交換機からＩＤ受信端末（発信者番号通知サービス／モデムダイヤルインサービスに対応の通信端末装置）にＩＤ受信端末起動信号（情報受信端末起動信号：ＣＡＲ）が送信される（ステップ８０２）。このＣＡＲに対してＩＤ受信端末が加入者線交換機に一次応答信号を返すと（ステップ８０３）、加入者線交換機からＩＤ受信端末に発ＩＤがモデム信号として送信される（ステップ８０４）。ただし、加入者線交換機からの発ＩＤの送信は、加入者線交換機がステップ８０１での極性反転から６秒以内にステップ８０３の一次応答信号を受信した場合にのみ行われる。
【００２２】
ＩＤ受信端末は、発ＩＤを受信すると、受信完了信号を加入者線交換機に返し（ステップ８０５）、その後、加入者線交換機からＩＤ受信端末に呼出信号が送信される（ステップ８０６）。この呼出信号にＩＤ受信端末が応答し、二次応答信号を返すと（ステップ８０７）、加入者線交換機が回線の極性を復帰し（ステップ８０８）、続いて、加入者線交換機とＩＤ受信端末の間で通信が行われる（ステップ８０９）。
【００２３】
したがって、ＩＤ受信端末は、発ＩＤを受信するためには、ステップ８０１の極性の反転（ＩＤ受信端末信号の受信）から６秒以内にステップ８０３の一次応答信号を返す必要があることになり、この時間内に一次応答信号を返すことができなければ発ＩＤを受けることができなくなる。
【００２４】
【発明が解決しようとする課題】
上述のように、従来のファクシミリ装置では、節電モードの解除に要する時間が多大なため、ユーザに不便を感じさせたり、着信時の応答が送れてしまうといったことがあった。もちろん、節電モードにおいてＣＰＵの停止等を行っていないものであれば、このような現象は生じないが、省電力化を進めていく上では、節電モードにおいて、より多くの部位への給電を停止する必要がある。
【００２５】
同様に、ファクシミリ装置以外の電子機器においても、省電力化が進められており、節電モード等を解除する際に、その解除時間によりユーザに不便を感じさせることとなる。
【００２６】
そこで、この発明は、節電モード等の解除に際して、機器を使用可能とするまでの時間を短縮し、ユーザへ不便を感じさせないとともに機能の制限を受けることのない電子機器およびその制御方法を提供することを目的とする。
【００２７】
【課題を解決するための手段】
上述した目的を達成するため、請求項１の発明は、各々独立して動作する第１の制御手段と第２の制御手段を具備し、初期化時に前記第１の制御手段から転送されるデータに基づいて前記第２の制御手段が動作するとともに、前記第１の制御手段および前記第２の制御手段への給電を停止する節電モードを有する電子機器において、電源が投入された際の初期化時に、前記データの少なくとも一部を不揮発記憶する記憶手段と、前記第１の制御手段および前記第２の制御手段に給電が開始された際に、該給電が電源投入により行われたものか前記節電モードからの復帰かを判定する判定手段と、前記判定手段により節電モードからの復帰と判定された場合に、前記記憶手段に記憶されているデータを前記第１の制御手段から転送されるデータに代えて前記第２の制御手段に転送する転送手段とを具備することを特徴とする。
【００２８】
また、請求項２の発明は、請求項１の発明において、前記第２の制御手段は、前記転送手段により前記記憶手段に記憶されているデータの転送を受けた後に、前記第１の制御手段の状態にかかわらず動作を開始することを特徴とする。
【００２９】
また、請求項３の発明は、請求項１の発明において、前記第２の制御手段は、回線を介して行う通信を制御する通信制御手段であることを特徴とする。
【００３０】
また、請求項４の発明は、各々独立して動作する第１の制御手段と第２の制御手段を具備し、初期化時に前記第１の制御手段から転送されるデータに基づいて前記第２の制御手段が動作するとともに、前記第１の制御手段および前記第２の制御手段への給電を停止する節電モードを有する電子機器の制御方法において、電源が投入された際の初期化時に、前記データの少なくとも一部を不揮発性の記憶手段に記憶し、前記第１の制御手段および前記第２の制御手段に給電が開始された際に、該給電が電源投入により行われたものか前記節電モードからの復帰かを判定し、前記節電モードからの復帰と判定した場合は、前記記憶手段に記憶したデータを前記第１の制御手段から転送されるデータに代えて前記第２の制御手段に転送することを特徴とする。
【００３１】
また、請求項５の発明は、請求項４の発明において、前記記憶手段に記憶しているデータを前記第２の制御手段に転送した後に、前記第１の制御手段の状態にかかわらず前記第２の制御手段の動作を開始させることを特徴とする。
【００３２】
また、請求項６の発明は、請求項４の発明において、前記第２の制御手段は、回線を介して行う通信を制御する通信制御手段であることを特徴とする。
【００３３】
【発明の実施の形態】
以下、この発明に係る電子機器およびその制御方法の実施の形態について、添付図面を参照して詳細に説明する。なお、ここでは、この発明を適用した電子機器の一例としてファクシミリ装置についての説明を行うが、この発明は、ファクシミリ装置以外の電気機器に対しても同様に適用することができる。
【００３４】
図１は、この発明を適用したファクシミリ装置の構成例を示した図である。同図に示すように、ファクシミリ装置は、システム制御部１と、通信制御部２、通信制御部３、スキャナ部５、プリンタ部５、ＵＩ部６を具備して構成される。
【００３５】
システム制御部１は、他の各部を統括して制御する部分で、ＣＰＵ(Central Processing Unit)１１、ＡＳＩＣ(Application Specific Integrated Circuit)１２、ＲＯＭ(Read Only Memory)１３、ＲＡＭ(Random Access Memory)１４、ＤＰ−ＲＡＭ(Dual Port-RAM)１５、ＨＯＴ／ＣＯＬＤ判定部１７を具備している。ＣＰＵ１１は、システム制御部１はもちろんのこと、ファクシミリ装置全体の制御を行い、ＲＯＭ１３に記憶されているプログラムにに基づいて動作する。ＡＳＩＣ１２には、アドレスデコードやタイマ等の周辺回路が構成されている。ＲＯＭ１３は、ＣＰＵ１１を動作させるためのプログラム等が記憶されている。ＲＡＭ１４は、カウンタやフラグ等のＣＰＵ１１が動作する際に必要なデータや送受信する画像データを一時的に記憶する。ＤＰ−ＲＡＭ１５、１６は、それぞれ通信制御部２、との間でデータ等の授受を行う。ＨＯＴ／ＣＯＬＤ判定部１７は、給電が開始された際に、各部をＨＯＴスタートさせるかＣＯＬＤスタートさせるかを判定する。ＨＯＴスタートは節電モードが解除された場合の処理であり、ＣＯＬＤスタートは電源が投入された場合の処理である。この判定は、例えば、給電開始時に節電モードを解除する信号が検知されたか否かにより行うことができる。
【００３６】
通信制御部２は、回線を介して行われる通信を制御する部分で、ＣＰＵ２１、ＡＳＩＣ２２、ＲＯＭ２３、ＲＡＭ２４、ＣＯＤＥＣ(Compresser Decompresser)２５、ＭＯＤＥＭ(Modulater Demodulater)２６、ＮＣＵ(Network Control Unit)２７、ＥＥＰＲＯＭ(Electrically Erasable and Programmable Read Only Memory)２８を具備している。ＣＰＵ２１は、通信制御部２の制御を行い、ＲＯＭ２３に記憶されているプログラムにに基づいて動作する。ＡＳＩＣ２２には、通信に要する周辺回路が構成されている。ＲＯＭ２３は、ＣＰＵ２１を動作させるためのプログラム等が記憶されている。ＲＡＭ２４は、契約回線や着信信号に対する個別設定等の通信に必要なパラメータが一時的に記憶されている。ＣＯＤＥＣ２５は、送受信する画像データの圧縮、伸張を行う。ＭＯＤＥＭ２６は、画像データの等の通信するデータの変調、復調を行う。ＮＣＵ２７は、ダイヤル信号の送出や着信の検出等を行う。ＥＥＰＲＯＭ２８は、ＲＡＭ２４に記憶されるパラメータ等の少なくとも一部が記憶されている。
【００３７】
通信制御部３は、回線を介して行われる通信を制御する部分であるが、ファクシミリ装置に複数回線の回線を接続する際に増設されるオプション部分であり、通信制御部２と同様に、ＣＰＵ３１、ＡＳＩＣ３２、ＲＯＭ３３、ＲＡＭ３４、ＣＯＤＥＣ３５、ＭＯＤＥＭ３６、ＮＣＵ３７、ＥＥＰＲＯＭ３８を具備している。
【００３８】
スキャナ部４は、原稿を読み取って画像データを生成し、プリンタ部５は、画像データに基づいて用紙上に画像を形成する。ＵＩ部６は、ＵＩ（ユーザインタフェイス）を提供するもので、キー入力部やディスプレイおよびこれらの制御部で構成される。
【００３９】
このファクシミリ装置では、通常動作を行う通常モードから節電モードに移行した際には、必要最小限の部分を除いて給電を停止する。必要最小限の部分とは、節電モードから通常モードへ復帰するトリガを得るもので、例えば、ＮＣＵ２７、３７、ＵＩ部６のキー入力部、これらからの信号を検知する起動検知部（不図示）等である。ＮＣＵ２７、３７は、回線からの着信を検知し、ＵＩ部６のキー入力部は、ユーザによる操作を検知する。また、これらの信号は、ＨＯＴ／ＣＯＬＤ判定部１７にも入力され、給電開始がＨＯＴスタートによるものかＣＯＬＤスタートによるものかの判定が行われる。
【００４０】
次に、このファクシミリ装置に給電が開始された際の動作について説明する。図２は、給電開始後のファクシミリ装置の動作の流れを示すフローチャートである。
【００４１】
ファクシミリ装置は、給電が開始されると、まず、ＨＯＴ／ＣＯＬＤ判定部１７でＨＯＴスタートを行うかＣＯＬＤスタートを行うかが判定される（ステップ１０１）。判定の結果、ＨＯＴスタートを行う場合には（ステップ１０２でＹＥＳ）、システム制御部１、通信制御部２、通信制御部３、スキャナ部４、プリンタ部５、ＵＩ部６等の各部がＨＯＴスタートを行う（ステップ１０３）。一方、ＨＯＴ／ＣＯＬＤ判定部１７による判定の結果、ＣＯＬＤスタートを行うと判定された場合には（ステップ１０２でＮＯ）、システム制御部１、通信制御部２、通信制御部３、スキャナ部４、プリンタ部５、ＵＩ部６等の各部がＣＯＬＤスタートを行う（ステップ１０４）。
【００４２】
次に、このファクシミリ装置に給電が開始された際の動作の詳細について説明するが、ここでは、システム制御部１と通信制御部２の動作を例として説明する。図３および図４は、給電開始後のシステム制御部１および通信制御部２の動作の流れを示すフローチャートである。
【００４３】
システム制御部１と通信制御部２は、給電が開始されると、それぞれ初期化処理を開始し（ステップ２０１、２５１）、最初にシステム制御部１のＨＯＴ／ＣＯＬＤ判定部１７がスタート種別の判定を行い（ステップ２０２）、その判定結果を通信制御部２に送信する（ステップ２０３）。
【００４４】
その後、システム制御部１では、ＨＯＴ／ＣＯＬＤ判定部１７がＨＯＴスタートの判定をした場合には（ステップ２０４でＹＥＳ）、自身の内部チェックを行い（ステップ２０５）、通常モードに移行する。
【００４５】
また、通信制御部２は、ＨＯＴ／ＣＯＬＤ判定部１７から受けた判定結果がＨＯＴスタート判定であった場合には（ステップ２５２でＹＥＳ）、ＡＳＩＣ２２がＥＥＰＲＯＭ２８に記憶されているデータをＲＡＭ２４に転送し（ステップ２５３）、通常モードに移行する。ＥＥＰＲＯＭ２８に記憶されているデータは、通常モードにおいてＲＡＭ２４に記憶されているデータの少なくとも一部であり、例えば、着信拒否を行う電話番号のデータ等がある。また、ＥＥＰＲＯＭ２８に記憶されているデータは、後述するＣＯＬＤスタートの際に、システム制御部１からＲＡＭ２８に転送されたもの、若しくは節電モードに移行する際に、ＲＡＭ２８に記憶されているものである。
【００４６】
一方、ＨＯＴ／ＣＯＬＤ判定部１７がＣＯＬＤスタートの判定をした場合には（ステップ２０４でＮＯ、ステップ２５２でＮＯ）、システム制御部１が通信制御部２に対してリセット信号を送出するとともに（ステップ２０６）、自身の内部チェックを行う（ステップ２０７）。
【００４７】
一方、通信制御部２は、システム制御部１からのリセット信号を受信すると、自身の内部チェックを行い（ステップ２５４）、内部チェックが終了すると、内部チェック確認信号をシステム制御部１に送信する（ステップ２５５）。
【００４８】
システム制御部１は、内部チェック確認信号を受信すると（ステップ２０８）、初期応答信号を通信制御部２に送信し（ステップ２０９）、これを受信した通信制御部２は（ステップ２５６）、初期応答確認信号をシステム制御部１に送信する（ステップ２５７）。
【００４９】
システム制御部１は、初期応答確認信号を受信すると（ステップ２１０）、通信制御部２にシステムデータを送信する（ステップ２１１）。システムデータは、通信制御部２が通信を行うのに必要なパラメータ等のデータである。
【００５０】
なお、このシステムデータは、図示しない記憶部（ハードディスクやＥＥＰＲＯＭ等の不揮発性のもの）に設定されているシステムデータ、ユーザ設定等の一部である。
【００５１】
通信制御部２は、システムデータを受信すると（ステップ２５８）、受信したシステムデータをＲＡＭ２４に記憶し、データ書込確認信号をシステム制御部１に送信して（ステップ２５９）、通常モードに移行する。
【００５２】
また、システム制御部１は、通信制御部２からデータ書込確認信号を受信すると（ステップ２１２）、通常モードに移行する。ただし、システム制御部１は、実際には、通信制御部２以外の各部の全てと同様の処理を行うため、それらが全て終了した後に、通常モードに移行することになる。
【００５３】
このように、図１に示したファクシミリ装置では、ＨＯＴスタートの場合には、通信制御部２の内部チェックやシステム制御部１から通信制御部２へのシステムデータの転送を省略して、通常モードへ移行するまでの時間を短縮し、ＣＯＬＤスタートの場合には、従来のファクシミリ装置と同様の初期化処理を行っている。
【００５４】
ところで、上述の説明では、ＥＥＰＲＯＭ２８に記憶しているデータは、ＲＡＭ２４に記憶すべきデータの一部の場合がある。この場合には、通常モードでの通信制御部２の動作に不都合が生じる場合があるため、通常モードに移行後に、システム制御部１から通信制御部２へシステムデータの転送を行う。
【００５５】
図５は、通常モード移行後にシステムデータの転送を行う場合のシステム制御部１および通信制御部２の動作の流れを示すフローチャートである。
【００５６】
システム制御部１と通信制御部２は、給電が開始されると、それぞれ初期化処理を開始し（ステップ３０１、３５１）、最初にシステム制御部１のＨＯＴ／ＣＯＬＤ判定部１７がスタート種別の判定を行い（ステップ３０２）、その判定結果を通信制御部２に送信する（ステップ３０３）。
【００５７】
また、システム制御部１では、ＨＯＴ／ＣＯＬＤ判定部１７がＨＯＴスタートの判定をした場合には（ステップ３０４でＹＥＳ）、自身の内部チェックを行う（ステップ３０５）。
【００５８】
一方、通信制御部２は、ＨＯＴ／ＣＯＬＤ判定部１７から受けた判定結果がＨＯＴスタート判定であった場合には（ステップ３５２でＹＥＳ）、ＡＳＩＣ２２がＥＥＰＲＯＭ２８に記憶されているデータをＲＡＭ２４に転送する（ステップ３５３）。この時点で、通信制御部２は、動作可能となり、給電開始が着信による節電モードの解除に起因するものであった場合には、通信を開始する（ステップ３５４）。
【００５９】
その後、システム制御部１は、初期応答信号を通信制御部２に送信し（ステップ３０６）、これを受信した通信制御部２は（ステップ３５５）、初期応答確認信号をシステム制御部１に送信する（ステップ３５６）。
【００６０】
システム制御部１は、初期応答確認信号を受信すると（ステップ３０７）、通信制御部２にシステムデータを送信する（ステップ３０８）。ここで転送するシステムデータは、ＥＥＰＲＯＭ２８に記憶されていなかったものである。
【００６１】
通信制御部２は、システムデータを受信すると（ステップ３５７）、受信したシステムデータをＲＡＭ２４に記憶し、データ書込確認信号をシステム制御部１に送信して（ステップ３５８）、通常モードに移行する。
【００６２】
また、システム制御部１は、通信制御部２からデータ書込確認信号を受信すると（ステップ３０９）、通常モードに移行する。
【００６３】
また、ＨＯＴ／ＣＯＬＤ判定部１７がＣＯＬＤスタートの判定をした場合には（ステップ３０４でＮＯ、ステップ３５２でＮＯ）、上述した場合と同様の動作を行う。
【００６４】
なお、上述の説明では、システム制御部１と通信制御部２の給電開始後の動作を例として説明したが、システム制御部１と通信制御部３も同様に動作するのはもちろんのこと、システム制御部とＵＩ部６等にも同様の動作をさせ、システム制御部１が通常モードに移行する前に、ＵＩ部６を通常モードに移行させることが可能である。
【００６５】
また、この発明を適用した給電開始後の動作を各部の全てで行わず、必要な部分のみで行うようにしてもよい。例えば、節電モードを解除するトリガがＮＣＵ２７による着信の検知であった場合には、システム制御部１と通信制御部２でＨＯＴスタートを行わせ、通信制御部３にＣＯＬＤスタートを行わせるといったことが可能である。
【００６６】
さらに、ここでは、ファクシミリ装置を例として説明しているが、各々が独立して動作可能な部位を複数有し、各部間で起動時にデータの転送等を必要とする電子機器に対しても、同様の処理を行って、節電モードの解除に要する時間を短縮することができる。
【００６７】
【発明の効果】
以上説明したように、この発明によれば、初期化時にシステムデータ等の転送を必要とする電子機器、例えば、ファクシミリ装置において、初期化時にシステム制御部から通信制御部に転送するシステムデータの少なくとも一部を不揮発性のＥＥＰＲＯＭ等に記憶させておき、節電モードからの解除の際に、通信制御部がＥＥＰＲＯＭに記憶されているデータを読み込むことでシステム制御部からのシステムデータの転送を省略するように構成したので、通信制御部は、システム制御部の動作に関わらず、自身が動作可能となった状態で直ちに通信を行うことができ、結果として、節電モードの解除に要する時間を短縮することが可能となる。
【図面の簡単な説明】
【図１】この発明を適用したファクシミリ装置の構成例を示した図である。
【図２】給電開始後のファクシミリ装置の動作の流れを示すフローチャートである。
【図３】給電開始後のシステム制御部１および通信制御部２の動作の流れを示すフローチャート（１）である。
【図４】給電開始後のシステム制御部１および通信制御部２の動作の流れを示すフローチャート（２）である。
【図５】通常モード移行後にシステムデータの転送を行う場合のシステム制御部１および通信制御部２の動作の流れを示すフローチャートである。
【図６】従来のファクシミリ装置の構成例を示した図である。
【図７】ファクシミリ装置の給電開始時の動作の流れを示すフローチャートである。
【図８】システム制御部５０１と通信制御部５０２の初期化処理の流れを示すフローチャートである。
【図９】発信者番号通知を受ける場合のシーケンスを示した図である。
【符号の説明】
１    システム制御部
２    通信制御部
３    通信制御部
４    スキャナ部
５    プリンタ部
６    ＵＩ部
１１    ＣＰＵ
１２    ＡＳＩＣ
１３    ＲＯＭ
１４    ＲＡＭ
１５    ＤＰ−ＲＡＭ
１６    ＤＰ−ＲＡＭ
１７    ＨＯＴ／ＣＯＬＤ判定部
２１    ＣＰＵ
２２    ＡＳＩＣ
２３    ＲＯＭ
２４    ＲＡＭ
２５    ＣＯＤＥＣ
２６    ＭＯＤＥＭ
２７    ＮＣＵ
２８    ＥＥＰＲＯＭ
３１    ＣＰＵ
３２    ＡＳＩＣ
３３    ＲＯＭ
３４    ＲＡＭ
３５    ＣＯＤＥＣ
３６    ＭＯＤＥＭ
３７    ＮＣＵ
３８    ＥＥＰＲＯＭ
【図１】
0003893910.tif 000002
【図２】
0003893910.tif 000003
【図３】
0003893910.tif 000004
【図４】
0003893910.tif 000005
【図５】
0003893910.tif 000006
【図６】
0003893910.tif 000007
【図７】
0003893910.tif 000008
【図８】
0003893910.tif 000009
【図９】
0003893910.tif 000010